(57)【特許請求の範囲】
【請求項１】
複数の地域に対し複数の放送周波数情報が対応付けられたプリセットデータベースと、
地域指定手段と、
視聴放送番組を指定する番組指定手段と、
前記地域指定手段によって指定された地域に対応した放送周波数情報を記憶するチャンネルメモリと、
該チャンネルメモリに記憶された複数の放送周波数情報の個々に対して、受信コンテンツが良好であるか否かを、利用者確認なしで判断するオートチューニング手段と、
前記チャンネルメモリへの放送周波数情報の初期登録時、前記オートチューニング手段により判断された受信コンテンツが良好な放送周波数情報のみを、前記チャンネルメモリへ登録する手段と、
現在の位置情報を得るための位置情報取得手段と、
該位置情報取得手段により得た位置情報を、前記プリセットデータベースの地域情報に変換するためのテーブルと、
現在位置と直前に算出された地域範囲の境界との距離が規定値以内か否かを算出する距離算出手段とを有し、
前記直前に算出された地域範囲に対する前記チャンネルメモリの記憶内容の少なくとも１つの割り当てを維持して、前記オートチューニング処理を行い、前記距離算出手段の算出結果が前記規定値以内の場合に、前記直前に算出された地域範囲のオートチューニング結果に対する受信感度チェックを行い、受信感度が基準値以上のチャンネルの記憶内容を維持してオートチューニング処理を行う手段を備えたことを特徴とする放送受信装置。
【発明の詳細な説明】
【０００１】
【発明の属する技術分野】
本発明は、テレビ、ラジオ等の放送受信装置に関し、より詳しくは、各地域によって良好に受信できると予想される周波数やその周波数に対応する放送局名が予めデータベースとして登録されており、地域を選択することによりその地域で受信できると予想されるチャンネルや周波数をデータベースから検索して登録できるオートプリセット機能と、良好な映像や音声等が受信できる周波数を自動的に検出するオートチューニング機能の両機能を備えた放送受信装置に関する。
【０００２】
【従来の技術】
例えば、テレビジョン受信装置では、受信周波数の選択を容易に行うため、「オートチューニング機能」又は「オートプリセット機能」を設けているものが従来から多数あり、その一例が特開平８−２３２６３号公報に開示されている（なお、以下のオートチューニングの説明において、本発明における「オートチューニング機能」を特開平８−２３２６３号公報では「オートプリセット機能」と称しているので注意が必要である）。
【０００３】
「オートチューニング機能」付きのテレビジョン受信装置について説明する。
図２１は、従来のオートチューニング機能付きテレビの構成を示すブロック図である。
検波復調部５１は受信したテレビ電波を検波、復調し、電波を受信するアンテナ５１１、特定の周波数の放送電波を選択して受信するチューナ部５１２、チューナ部５１２で受信した放送電波を検波、復調する検波復調器５１３で構成される。
マイコン５２にはオートチューニングスイッチ５２１、チャンネルスイッチ５２２、チャンネルメモリ５２３、チャンネル上下スイッチ５２４が接続されている。チャンネルスイッチ５２２とチャンネル上下スイッチ５２４は、図２２のような外観をしており、ユーザがチャンネルスイッチ５２２またはチャンネル上下スイッチ５２４を操作すると対応したチャンネルメモリ５２３に記憶されている放送電波の周波数が呼び出され、マイコン５２より検波復調部５１に、受信周波数を指示する受信周波数指示信号が送られる。
受信周波数指示信号を受け取った検波復調部５１は指示された周波数の放送電波を受信する。受信した放送電波は検波復調器５１３により、映像信号と音声信号に分離される。
映像信号はディスプレイ部５３の映像増幅器５３１で増幅され、液晶などのディスプレイ５３２で映像表示される。また、音声信号はオーディオ部５４の音声増幅器５４１によって増幅され、スピーカ５４２を通じて出力される。
【０００４】
次に、チャンネルメモリ５２３への放送電波の周波数の記憶方法について述べる。
オートチューニング方式では、オートチューニングスイッチ５２１が操作されるとマイコン５２の指示に基づき受信周波数が順次走査され、各受信周波数の検波、復調された受信信号レベルとマイコン５２に予め設定されている基準信号レベル（良好な映像を得るために必要な最低の電界強度に設定されている）とが比較され、受信信号レベルの方が高ければその受信周波数がチャンネルメモリ５２３に登録される。もし、受信信号レベルのほうが低ければ良好な映像を得ることができないので、その受信周波数はチャンネルメモリ５２３に記憶されない。このようにして順次全受信周波数の放送波について受信信号レベルと基準信号レベルが比較され、基準信号レベルより高い受信信号レベルを有する放送波の周波数のみが自動的にチャンネルメモリ５２３に記憶される。
【０００５】
オートプリセット機能付きのテレビ受信装置について説明する。
図２３は、従来のオートプリセット機能付きテレビ受信装置の構成を示すブロック図である。
検波復調部６１は受信したテレビ電波を検波、復調し、電波を受信するアンテナ６１１、特定の周波数の放送電波を選択して受信するチューナ部６１２、チューナ部で受信した放送電波を検波、復調する検波復調器６１３で構成される。
マイコン６２には地域番号入力手段６２１、チャンネルスイッチ６２２、チャンネルメモリ６２３、チャンネル上下スイッチ６２４、プリセットデータベース６２５が接続されている。チャンネルスイッチ６２２とチャンネル上下スイッチ６２４は、図２２に示した従来例と同様な外観をしており、ユーザがチャンネルスイッチ６２２またはチャンネル上下スイッチ６２４を操作すると対応したチャンネルメモリ６２３に記憶されている放送電波の周波数が呼び出され、マイコン６２より検波復調部６１に、受信周波数を指示する受信周波数指示信号が送られる。
受信周波数指示信号を受け取った検波復調部６１は指示された周波数の放送電波を受信する。受信した放送電波は検波復調器６１３より、映像信号と音声信号に分離される。
映像信号はディスプレイ部６３の映像増幅器６３１で増幅され、液晶などのディスプレイ６３２で映像表示される。また、音声信号はオーディオ部６４の音声増幅器６４１によって増幅され、スピーカ６４２を通じて出力される。
【０００６】
次に、チャンネルメモリ６２３への放送電波の周波数の記憶方法について述べる。
オートプリセット機能では、地域番号入力手段６２１をユーザが操作して、例えば郵便番号などの地域を特定する番号を入力する。プリセットデータベース６２５には、ある地域で良好に受信できるチャンネルデータベース（地域番号を主キーとし、受信周波数とチャンネル番号と放送局名で構成されている）が、全ての地域に対して登録してある。
地域番号入力手段６２１を利用して、ユーザが地域番号を入力すると、プリセットデータベース６２５を参照し、その地域で良好に受信できる全てのチャンネルをチャンネルメモリ６２３に記憶する。例えば地域番号入力手段６２１でユーザが奈良の地域番号を入力した場合は、プリセットデータベース６２５を参照して奈良で受信できると登録されているチャンネルやそのチャンネルに対する周波数や放送局名を探し出し、それをすべてチャンネルメモリ６２３に記憶する。図２４（Ａ）に、奈良地方で受信できる全てのチャンネルがチャンネルメモリ６２３に登録された様子を示す。図２４（Ａ）の左側の番号はチャンネル番号であり、図２２のチャンネルスイッチ５２２の番号と対応している。
【０００７】
以上説明した「オートチューニング機能」や「オートプリセット機能」を行って、良好に受信できる受信周波数をチャンネルメモリ５２３（または６２３）に登録するのが終了すると、チャンネルスイッチ５２２（または６２２）やチャンネル上下スイッチ５２４（または６２４）を選択すればチャンネルメモリ５２３（または６２３）に記憶されている放送電波の周波数が呼び出され、チューナ部５１２（または６１２）で電波を受信しディスプレイ５３２（または６３２）に映像が表示されるように構成されている。
【０００８】
【発明が解決しようとする課題】
しかし、上記した従来技術の「オートプリセット機能」には次のような問題がある。
すなわち、ユーザが入力した地域番号を基にして、プリセットデータベース６２５を参照し、その地域で受信できるチャンネルをチャンネルメモリ６２３に記憶する方法では、チャンネルメモリ６２３に記憶されたチャンネルが全て良好な映像の状態で受信できるとは限らない。なぜならば、テレビは地域の電波状態や地理的条件により受信状態が変わるからである。例えば、大きな山やビルに電波が阻まれてある周波数帯の電波を受信できないこともあり得る。
これを図２４（Ａ）を用いて説明すると、例え奈良に住んでいても電波の状態が悪くて奈良テレビを良好な映像として受信できない場合がある。このような場合は、図２２のチャンネルスイッチ５２２の１１番のボタンを選択しても奈良テレビが表示されない。
【０００９】
そこで、この問題点を解決する方法として「オートプリセット」を行った後にユーザが手動でチャンネル設定を行うことが行われている。
以下これについて説明する。
これは、「オートプリセット機能」を利用して、ユーザが住んでいる地域で受信できると予想されるチャンネルをチャンネルメモリ６２３に登録後、それぞれの登録されたチャンネルについて、ユーザが電波の状態が悪くて受信できないと判断したチャンネルについては、ユーザの手動操作のもと、チャンネルメモリ６２３の登録から削除するというものである。
例えば、奈良県に住んでいるユーザが、オートプリセット機能を利用してチャンネルメモリ６２３に図２４（Ａ）に示すように登録したとする。ユーザの住んでいる地域は奈良テレビの電波受信状況が悪くて、奈良テレビが良好に受信できないとする。すると、ユーザは図２５に示すような画面を利用して、奈良テレビをチャンネルメモリ６２３の登録から削除することができる。具体的には図２４（Ｂ）に示された画面上において、スキップという項目を「する」に変更すれば、チャンネルメモリ５２３の登録は削除され、図２４（Ｂ）に示すようにチャンネルメモリ６２３の更新がなされる。（図２４（Ｂ）では図２４（Ａ）と比較すると、チャンネル番号１１の位置から奈良テレビが削除されている。）
【００１０】
しかし、ユーザが手動でチャンネルメモリ６２３に登録されている内容を変更するのは大変面倒である。これまでは、チャンネル数が最高でも１０個ぐらいであったのでユーザが手動で内容を変更するのは可能であったが、デジタル放送の時代を迎える今日において、数百のオーダで存在するチャンネルに対して一つずつ手動で登録内容を変更するのは困難である。
アナログ放送の場合には、基準信号レベル（良好な映像を得るために必要な最低の電界強度）と実際の受信信号レベルを比較してオートチューニングを行ったとしても、実際は基準信号レベルは曖昧なもの（基準信号レベルをどのくらいの値に設定すればユーザが満足するかは定かではない）であり、上記の例で述べたようにユーザがチャンネルメモリからの削除を手動で行いながら確認させることが必要であった。
デジタル放送の時代を迎える今日において、デジタルデータとして送信されてくるデータはチェックサム（データが誤りなく正確に送られてきたか否かを表す符号。アナログのデータには含まれない。）が含まれている。このチェックサムを利用してオートチューニングを行うことによって、本来アナログ放送の場合には実現できなかった（アナログの時代では最後は結局ユーザが手動でチャンネル設定を行わなければならなかった）「自動的にチャンネル設定を行うということ」が実現可能である。なぜならば、デジタル放送の場合は、
１）チェックサムを利用してデータに誤りがないかどうか確認する。
２）これまでアナログ放送でも行われてきたように基準信号レベルと実際の受信信号レベルを比較する。
の２通りの処理方法でオートチューニングが行えるようになり、より確実にチャンネル設定を行うことができるからである。
本発明は、ユーザの手動操作なしで、自動的にチャンネルメモリの登録内容を変更する、つまりチャンネルメモリに登録されているチャンネルの中から電波の受信状況が悪いチャンネルを自動的に削除することができる装置を提供することを課題とする。
【００１１】
したがって、本願発明の目的は、デジタル放送による多局化に対する有効（良好）なチャンネルをチャンネルメモリに登録する際、移動体機器でのオートチューニング（感度チェックによる有効チャンネル抽出処理）を完全にしようとすると、逐次処理になってしまうことに鑑み、地域範囲の境界において、移動体機器が規定値以内の距離を越えても受信感度が基準値以上であれば、チャンネルの記憶内容を維持してオートチューニング処理を行い、チャンネルメモリの割り当てが頻繁に変化することがないようにすることである。
【００１８】
【課題を解決するための手段】
本発明は、前記した目的を達成するためになされたものであって、第１の技術手段は、複数の地域に対し複数の放送周波数情報が対応付けられたプリセットデータベースと、地域指定手段と、視聴放送番組を指定する番組指定手段と、前記地域指定手段によって指定された地域に対応した放送周波数情報を記憶するチャンネルメモリと、該チャンネルメモリに記憶された複数の放送周波数情報の個々に対して、受信コンテンツが良好であるか否かを、利用者確認なしで判断するオートチューニング手段と、前記チャンネルメモリへの放送周波数情報の初期登録時、前記オートチューニング手段により判断された受信コンテンツが良好な放送周波数情報のみを、前記チャンネルメモリへ登録する手段と、現在の位置情報を得るための位置情報取得手段と、該位置情報取得手段により得た位置情報を、前記プリセットデータベースの地域情報に変換するためのテーブルと、現在位置と直前に算出された地域範囲の境界との距離が規定値以内か否かを算出する距離算出手段とを有し、前記直前に算出された地域範囲に対する前記チャンネルメモリの記憶内容の少なくとも１つの割り当てを維持して、前記オートチューニング処理を行い、前記距離算出手段の算出結果が前記規定値以内の場合に、前記直前に算出された地域範囲のオートチューニング結果に対する受信感度チェックを行い、受信感度が基準値以上のチャンネルの記憶内容を維持してオートチューニング処理を行う手段を備えたことを特徴とする。
【００２５】
【発明の実施の形態】
以下、図１〜図１１は、本発明の実施に使用される放送受信装置の一例を説明するための図、図１２〜図２０は、本発明の一実施例を説明するための図である。
図１〜図１１は、デジタル放送時代を迎える今日に以下のような装置を提供するものである。まず「オートプリセット機能」によって、テレビがセットされている地域で受信できるであろうチャンネルをチャンネルメモリに登録後、「オートチューニング機能」を使って、チャンネルメモリに登録されたチャンネルに対して、良好、または正しく受信できていないチャンネルを検索する。そして、良好、または正しく受信できていないチャンネルはチャンネルメモリの登録から自動的に削除される。
【００２６】
ここで、オートチューニングによる良好、または正しく受信できていないチャンネルの検索方法について述べると、大別すると次の２つの過程から構成されている。
（１）各受信周波数の検波、復調された受信信号レベルとマイコンに予め設定されている基準信号レベル（良好な映像を得るために必要な最低の電界強度に設定されている）とが比較され、受信信号レベルのほうが高ければその周波数に対応するチャンネルはチャンネルメモリに登録されたままとする。もし、受信信号レベルのほうが低ければ良好な映像を得ることができないので、その受信周波数はチャンネルメモリの登録から自動的に削除される。
【００２７】
（２）（１）の処理を行った後に、送信されてくるデジタルデータ中のチェックサム（データが誤りなく正しく送られてきたか否かを確認することができる符号）を用いてデジタルデータが誤り無くきちんと送られてきているかを確認する。誤りなく正しく送られてきていればその周波数に対応するチャンネルはチャンネルメモリに登録されたままとする。誤りがあって正しく送られてきていない場合はチャンネルメモリの登録から自動的に削除を行う。
【００２８】
なお、データが誤りなく送られてきたか否かを判定するための方法としてチェックサムによるデータチェックの方法を述べているが、データチェックの方法としてチェックサムによる方法に限らず、ＣＲＣ符号によるデータチェック等適宜の方法が適応可能である。
【００２９】
図１は、上述のごとき放送受信装置の構成を示すブロック図であって、ＴＶ付きカーナビゲーションシステムを例としている。
図２は、ＴＶ付きカーナビゲーションシステムの外観形状を示し、外観的な構成要素としてテレビ放送電波を受信するアンテナ１１１、チャンネルスイッチ１２１、チャンネル上下スイッチ１２２、カーナビ関連の入力手段１２３、電源スイッチ１２４、ディスプレイ部１３、スピーカ１４２を備えている。なお、各種スイッチや入力手段１２１〜１２４は、本実施例においては、ＴＶ付きカーナビゲーションシステム上に配置されているが、これらのスイッチ類は、ＴＶ付きカーナビゲーションシステムから分離されたリモコンに設けられてもよく、また表示部分がタッチパネル式となっているディスプレイ部１３に設けられていてもよい。
【００３０】
上記したスイッチ類の機能は次の通りである。電源スイッチ１２４は、電源のＯＮ／ＯＦＦを制御するためのスイッチである。
チャンネル上下スイッチ１２２は、チャンネルの順送り、または逆送り命令を送るためのスイッチであり、良好に映ると登録されているチャンネルのみを表示する命令を送ることができる。チャンネルスイッチ１２１は、従来例である図２２に示されているのと同様な外観をしており、１から１２までの番号命令を送るためのスイッチである。
カーナビ関連の入力手段１２３は、ＴＶ付きカーナビゲーションシステムにおいて、カーナビゲーションシステムのみに関連するような命令（例えば、目的地への最短経路の設定等）を送るためのスイッチである。
【００３１】
図１に示す、ＴＶ付きカーナビゲーションシステムを形成する各構成要素について説明する。
検波復調部１１は、受信したテレビ放送電波を検波、復調する処理部で、これはデジタル情報として送られてくるテレビ放送電波を受信するアンテナ１１１、放送電波を受信するチューナ部１１２、チューナ部１１２で受信した放送電波を検波、復調する検波復調器１１３で構成される。
マイコン１６には、入力手段１２、カーナビ処理部１５、チャンネルメモリ１７、プリセットデータベース１８、地域番号算出手段１９、オートチューニング処理部２０、番組情報データベース２１が接続されている。
入力手段１２については、図２２を参照して説明したので、ここでは詳しく述べないが、チャンネルスイッチ１２１、チャンネル上下スイッチ１２２、カーナビ関連の入力手段１２３、電源スイッチ１２４から構成されている。
【００３２】
カーナビ処理部１５は、カーナビ処理に関わること全てを行う部分である。
チャンネルメモリ１７は、図２４（Ａ）で示されるようなチャンネル設定に関する情報を記録している部分である。図２４（Ａ）について再度説明すると、チャンネル番号は１〜１２までで構成されており、この番号はチャンネルスイッチ１２１の番号と一致している。周波数は、チャンネル番号１〜１２に対応するチャンネルの映像を表示するために、チューナ部１１２が受信するべき周波数を示している。放送局名は、対応する周波数を受信すると表示されるテレビ映像を放送している放送局名を示している。
【００３３】
プリセットデータベース１８には、ある地域で良好に受信できる全てのチャンネルのチャンネル番号、周波数、放送局名が登録されている。これらは、地域番号を主キーとしてすべての地域に対する情報がデータベース化されている。図３は、地域番号毎に視聴可能なチャンネル番号、周波数、放送局名が記憶されたプリセットデータベース１８の様子を示す。図３の場合は、地域番号を一例として郵便番号としたが、地域番号はこれ以外に、電話の市外局番などでもよい。
【００３４】
地域番号算術手段１９は、ＴＶ付きカーナビゲーションシステムが設置されている地域の地域番号（例えば、郵便番号や電話の市外局番）を算出する手段である。なお、地域番号を算出する処理については、以下で詳しく述べる。
オートチューニング処理部２０は、マイコン１６の指示に基づいて、周波数を順次走査し、各受信周波数の検波、復調された受信信号レベルとマイコン１６に予め設定されている基準信号レベル（良好な映像を得るために必要な最低の電界強度）の比較を行う処理と、それに加えてデジタル情報として送られてくるあるチャンネルのテレビ放送電波の中からチェックサムを取り出して、テレビ放送電波が誤りなく受信できているか否かを判断する手段である。なお、この処理についても以下で詳しく述べる。
【００３５】
番組情報データベース２１には、アンテナ１１１で受信したテレビ放送電波中の垂直帰線消去期間（ＶＢＩ）に含まれている電子番組情報を記憶し、データベースとして記憶している部分である。なお、電子番組情報は必ずテレビ放送電波中のＶＢＩに挿入されて送信されているものではなく、地域によっては電子番組情報が挿入されてなく、受信できない地域もある。したがって、番組情報データベース２１に電子番組情報が記録されるのは、ＶＢＩ中に電子番組情報が挿入されて送信されている場合のみである。
【００３６】
また、検波復調部１１には、ディスプレイ部１３とオーディオ部１４が接続されている。ディスプレイ部１３はディスプレイ１３２と映像増幅器１３１から形成されており、オーディオ部１４はスピーカ１４２と音声増幅器１４１から形成されている。
【００３７】
ここで、ユーザがＴＶを視聴するときの各構成要素の動作について説明する。
ユーザがチャンネルスイッチ１２１またはチャンネル上下スイッチ１２２を操作すると、チャンネルメモリ１７に記憶されている対応した放送電波の周波数が呼び出され、マイコン１６より検波復調部１１に、受信周波数を指示する受信周波数指示信号が送られる。
受信周波数指示信号を受け取った検波復調部１１は、指示された周波数の放送電波を受信する。受信した放送電波は、検波復調器１１３により映像信号と音声信号に分離される。映像信号は映像増幅器１３１で増幅され、ディスプレイ１３２で映像が出力される。また、音声信号は音声増幅器１４１によって増幅され、スピーカ１４２を通じて出力される。
【００３８】
次に、電源ＯＮ時の処理フロー、すなわち、オートプリセット処理について、図７に基づいて説明する。
（ステップ１）電源スイッチ１２４がユーザにより選択され、それにより電源ＯＮ命令が出されたか否かを監視する。電源ＯＮ命令が出された場合はステップ２へ、電源ＯＮ命令が出されていないときはステップ１で監視を続ける。
（ステップ２）カーナビ処理部１５が起動する。
（ステップ３）カーナビ処理部１５によって、ＴＶ付きカーナビゲーションシステムが設置されている位置の位置情報が算出される。なお、このときの算出方法については、本発明の趣旨とは直接関係なく、また従来周知でもあるため簡単に説明する程度とするが、地球上空を回っているカーナビ用の衛星と通信して、ＴＶ付きカーナビゲーションシステムが設置されている位置を算出する。このとき、位置情報は例えば緯度や経度によって表された情報として算出される。
【００３９】
（ステップ４）地域番号算出手段１９が起動する。
（ステップ５）ステップ４で起動した地域番号算出手段１９は、ステップ３でカーナビ処理部１５によって算出された緯度や経度によって表された位置情報を用いて、地域番号を算出する。この時の処理の一例を述べると、例えば地域番号算出手段１９中には図５で示されるように、それぞれの経度、緯度に対応する地域番号（この場合は地域番号の一例として郵便番号）がデータベース化されている。
ステップ３で、カーナビ処理部１５が、現在ＴＶ付きカーナビゲーションシステムが設置されている位置の位置情報が“北緯３５．０度、東経１３５．０度”であると算出したとすると、地域番号算出手段１９は、この“北緯３５．０度、東経１３５．０度”に対応する地域番号はいくつなのかをデータベースを参照して算出する。なお、この場合算出された地域番号は“７３４−５５２０”となる。
【００４０】
（ステップ６）ステップ５で算出された地域番号をもとにして、マイコン１６は地域番号に一致するチャンネル設定情報をプリセットデータベース１８から検索し、チャンネルメモリ１７に記憶することによって登録する。この処理について詳しく述べると、例えばステップ５で地域番号算出手段により、現在ＴＶ付きのカーナビゲーションシステムが設置されている位置の地域番号が“７３４−５５２０”（郵便番号）と算出されたとする。すると、マイコン１６はプリセットデータベース１８を参照して郵便番号が“７３４−５５２０”の地域で受信できると登録されているチャンネルやそのチャンネルに対応する周波数や放送局名を検索し、それを全てチャンネルメモリ１７に登録する。ここで、チャンネルメモリ１７に登録された様子を図４に示す。
【００４１】
次に、図７の処理、つまりオートプリセット処理が終了後、自動的にオートチューニングによってオートプリセットでチャンネルメモリ１７に登録されたチャンネルから映りが良好でない、又は正しく受信できていないチャンネルを削除する処理について図８に基づいて説明する。
（ステップ１１）オートチューニング処理部２０が起動する。なお、起動するタイミングは、図７で説明したオートプリセット処理が終了した直後が考えられる。また、オートチューニング開始命令を出力する操作ボタンを用意しておき、ユーザがそのボタンを選択したときでもよい。
（ステップ１２）変数Ｍに１を代入する。
（ステップ１３）オートチューニング処理部２０は、チャンネルメモリ１７のチャンネル設定情報を参照し、チャンネル番号がＭのチャンネルにデータが入力されているかどうかを調べる。ここで、データが入力されているかどうかということの判定方法を説明すると、図４で「チャンネル番号が１の行はデータが入力されておらず、チャンネル番号が２の行はデータが入力されている。」と定義する。つまり、データがあるときデータが入力されていると定義する。データが入力されていればステップ１４へ、データが入力されていなければステップ１８へ進む。
（ステップ１４）オートチューニング処理部２０は、マイコン１６を通じてチューナ部１１２にチャンネルメモリ１７中のチャンネル番号がＭに対応する周波数に設定するように指示すると、マイコン１６より検波復調部１１に、受信周波数を指示する受信周波数指示信号が送られる。受信周波数指示信号を受け取った検波復調部７１は、指示された周波数の放送電波を受信する。すると、指示された周波数の電波の受信信号レベルと電波として送信されてきたデジタル情報がマイコン１６に送られる。
【００４２】
電波として送信されてきたデジタル情報について一例を述べる。
図６はテレビ放送電波のデジタル情報を示す図である。図６で示すように、デジタル情報は、ヘッダー２２、０と１で示されるデータ２３、そしてチェックサム２４で構成されている。
ここでチェックサム２４について説明する。例えば最も簡単なパリティチェックという方法で用いられているチェックサム２４について説明すると、０と１で示されるデータ２３の中に、１が偶数個含まれていればチェックサム２４に“０”を挿入し、１が奇数含まれていればチェックサム“１”を挿入するという方法がとられている。
【００４３】
（ステップ１５）オートチューニング処理部２０は、ステップ１４で受け取った受信信号レベルとマイコン１６中に予め設定されている基準信号レベル（良好な映像を得るために必要な最低の電界強度に設定されている）を比較する。そして、
受信信号レベル≧基準信号レベル
となっていればステップ１７へ進む。また、
受信信号レベル＜基準信号レベル
となっていれば、ステップ１６に進む。
【００４４】
（ステップ１６）テレビ映像が良好に正しく受信できていないということなので、オートチューニング処理部２０はチャンネル番号がＭに対応するデータの周波数、放送局名をチャンネルメモリ１７から削除し、ステップ１８へ進む。
（ステップ１７）オートチューニング処理部２０は、ステップ１４で受け取った電波として送信されてきた図６に示されるようなデジタル情報について、データの誤りがないかどうかをチェックする。
ここで具体的にデータに誤りが含まれているかどうかをチェックする方法を述べると、例えば０と１で示されるデータ２３の中に１が偶数個含まれているにもかかわらずチェックサム２４に１が挿入されている場合は、０と１で示されるデータ２３の送信中にエラーが生じたということになる。
そして、データ中に誤りが存在した場合はステップ１６へ、誤りが存在しない場合はステップ１８に進む。
【００４５】
なお、サムチェックによる感度チェックについて説明すると、放送系の通信は単方向通信、すなわち送信側（放送局）が送信（放送）したデータが正しいか否かは、受信側でチェックするしかない。そのため、規定されたフォーマットで送信されたデータが、その規定されたフォーマット通り受信側で受信したかどうかをチェックすることになるが、１つの送信パケットが正しいか否かを判断するため、一般にそのパケットデータの総和が付加される。このデータをサムチェックデータというが、あるパケットのチェックサムが不当であるからといって、受信できないというものではない。
パケットのチェックサムによる感度チェックとは、単位時間内（あるパケット数内）におけるチェックサムエラーが発生した頻度が、規定値より多いか否かを意味し、感度状態を数値化するという点においては、電界強度による感度チェックに比べ有効な方法である。
【００４６】
（ステップ１８）変数ＭにＭ＋１を代入する。
（ステップ１９）変数Ｍが１２より大きければ、チャンネルメモリ１７に登録されているチャンネルについてすべてオートチューニングを行ったことになるので終了する。それ以外の場合は、ステップ１３に戻り、受信信号レベルと基準信号レベルの比較、またチェックサムを利用するデータの誤り検出の処理を行う。なお、図２４（Ａ）から明らかなようにチャンネルメモリ１６にはチャンネルを登録するチャンネル番号が１２個しかないので、ステップ１９では変数Ｍと１２を比較している。
【００４７】
以上のように、図７に示すオートプリセット処理と、図８のオートチューニング処理を行うことで、チャンネルメモリ１７には、ＴＶ付きのカーナビゲーションシステムが設置されている地域で良好に正しく受信できるチャンネルのみが登録されたこととなる。
【００４８】
次に図９に基づいて、図７、図８の処理後、テレビ映像がディスプレイ部１３に表示されている時に、ユーザがチャンネル上下スイッチ１２２を操作してＴＶの受信チャンネルを変更したときに行われる操作について説明する。
（ステップ２１）ユーザがチャンネル上下スイッチ１２２を操作したことで、チャンネルの順送り又は早送り命令が出されたかどうかを監視する。順送り、または早送り命令が出されたらステップ２２へ、出されないときはステップ２１で監視を続ける。なお、次にステップ２２の説明に移るが、この場合は、チャンネル上下スイッチ１２２の下向き矢印のスイッチをユーザが選択したと仮定して説明する。
（ステップ２２）マイコン１６は、現在表示中のテレビ映像に対応するチャンネル番号を変数Ｋに保持する。
（ステップ２３）変数ＫにＫ＋１を代入する。
（ステップ２４）Ｋが１３と等しいかどうかを比較する。等しければステップ２５に進み、等しくなければステップ２６へ進む。なお、ここで変数Ｋと１３を比較している理由であるが、図２４（Ａ）よりチャンネルメモリ１６にはチャンネルを登録するチャンネル番号が１２個しかないので、変数Ｋと１３を比較し、Ｋが１３ならばステップ２５でＫを１に変更する処理を行う。
（ステップ２５）変数Ｋが１３と等しかった場合は、変数Ｋに１を代入してステップ２６に進む。
【００４９】
（ステップ２６）マイコン１６はチャンネルメモリ１７中の設定情報を参照し、チャンネル番号がＫのチャンネルにデータが入力されているかどうかを調べる。データが入力されていればステップ２７へ、データが入力されていなければステップ２３へ進む。
（ステップ２７）マイコン１６は、チャンネルメモリ中のチャンネル番号がＫに対応する周波数を受信するように検波復調部１１に指示する。この命令を受け取った検波復調部１１は、指示された周波数の放送電波を受信し、テレビ映像と音声をディスプレイ部１３とオーディオ部１４に出力する。
【００５０】
図９を用いて説明した処理を行うことによって、ユーザがチャンネル上下スイッチ１２２の下向き矢印スイッチを選択すると、チャンネルメモリ１７に登録されたチャンネルの中から現在ユーザが見ているテレビ映像のチャンネル番号の次にチャンネル番号が大きいチャンネルの中から、良好に映るとしてチャンネルメモリ１７に登録されているチャンネルが表示されることとなる。
以上の説明では、ユーザがチャンネル上下スイッチ１２２の下向き矢印のスイッチを選択した時を想定して動作を記載したが、ユーザがチャンネル上下スイッチ１２２の上向き矢印のスイッチを選択したときの動作は、図９のステップ２３を“Ｋ←Ｋ−１”に、またステップ２４の比較処理を“Ｋ＝０？”に変更すればよい。このような処理を行うと、ユーザがチャンネル上下スイッチ１２２の上向き矢印を選択した場合は、現在見ているテレビ映像のチャンネル番号よりも次に小さいチャンネル番号で、チャンネルメモリ１７に登録されているチャンネル番号の映像が表示されることとなる。
【００５１】
以上、ＴＶ付きカーナビゲーションシステムの例をあげて説明したが、本発明はこのような構成に限定されるものではない。例えば、カーナビゲーションシステムが付属していない単なるテレビジョンでも実施することができる。この場合は単なるテレビジョン受信装置なので、現在テレビジョン受信装置が設置されている地域番号を自動的に検出することができない。
したがって、地域番号はユーザが別途設けられた地域番号設定手段（地域番号の設定命令を発生する手段）を用いて、例えば郵便番号や電話の市外局番などを手作業で入力することとなる。このとき、図７に示した電源ＯＮ時の処理フローは図１０に示す処理フローで置き換えればよい。
（ステップ３１）電源ＯＮ命令が出たかどうかを監視する。
（ステップ３２）地域番号設定手段を利用して、ユーザが地域番号を入力する。
（ステップ３３）マイコン１６が、地域番号設定手段によって入力された地域番号に一致するチャンネル設定情報をプリセットデータベース１８から検索し、チャンネルメモリ１７に登録する。
【００５２】
また、現在番組電波の垂直帰線消去期間（ＶＢＩ）に埋め込まれた電子番組情報（この情報の中には番組の開始・終了時間、チャンネル、放送局名、ジャンル、内容などが含まれている）をテレビ画面に表示させるという技術があるが、この技術を利用して、テレビジョン受信装置におけるチャンネル設定を行った後に、チャンネルメモリ１７に登録されたチャンネルに対応する電子番組情報のみを表示させることで、ユーザにより使いやすい電子番組表を表示させることが可能である。なぜならば、この技術を用いることによって良好に映ると判断されたチャンネルの電子番組表のみを表示させることができるからである。つまり良好に映らないチャンネルの番組表は表示させない。デジタル放送では、チャンネル数が数百のオーダで存在する。これら数百オーダのチャンネルの番組をすべて表示させるのではなく、良好に映るチャンネルの番組表のみを表示させることで、ユーザが自分の見たいチャンネルを見つけるまでの時間が短縮される。
この技術を実現させるための処理フローについて図１１を用いて説明する。
なお、この処理を行うことができるのは、テレビ放送電波のＶＢＩ中に電子番組情報が挿入されて送信されてきている場合のみである。
【００５３】
（ステップ４１）変数Ａに１を代入する。なお、変数Ａに１を代入するタイミングの一例としては、ユーザによって“番組表表示”というボタンが選択されて番組表表示命令が出されたときが考えられる。
（ステップ４２）マイコン１６は、チャンネルメモリ１７中の設定情報を参照し、チャンネル番号がＡのチャンネルの放送局名を取得する。
（ステップ４３）マイコン１６は、番組情報データベース２１を参照し、ステップ４２で取得した放送局名で放送している番組情報をディスプレイ１３２に表示する。
（ステップ４４）変数Ａを１インクリメントする。
（ステップ５）変数Ａが１３に等しいかどうかを調べ、等しければ終了し、等しくなければステップ４２へ進む。
以上の処理を行うことで、チャンネルメモリ１７に良好に受信できると登録されているチャンネルのみの番組表をディスプレイ１３２に表示することができる。
【００５４】
図１２は、本発明の一実施例を説明するためのブロック図であって、ＴＶ付きカーナビゲーションシステムを例としている。基本構成は、図１に示した例と同一であるが、発明のポイント部分の説明を容易とするために、ブロック名やブロック番号等は異なっている。
図１３は、ＴＶ付きカーナビゲーションシステムの模式化した外観形状を示す図である。
【００５５】
ＴＶ付きカーナビゲーションシステムは、ＴＶ機能とカーナビゲーション機能という大きく分けて２つの機能を備えたものである。
図１３に示す商品イメージにおいて、ＴＶ／カーナビ表示の切替ボタン４１が、この２つの機能の切り替え用のボタンである。
ただし、カーナビゲーション機能のブロックの詳細な構成については、本発明と直接関係しないので、カーナビゲーションシステムの構成要素のうち、必要な構成要素である「位置検出装置」のみを示している。
したがつて、実際には、図１２のブロック構成に、ＴＶ／カーナビ表示の切替ボタン４１、及びＴＶ／カーナビ表示の切替ボタン４１押下時に、ＴＶ機能をカーナビゲーション機能に切り替える制御を行うブロックが存在する。
【００５６】
位置検出装置３７は、ＴＶ付きカーナビゲーションシステムが搭載されている車両が存在する場所情報（一般には、緯度／経度で出力される）を検出し、出力する装置で、ＧＰＳ（Global Positioning System）が代表的なものであるが、場所情報の精度を無視すると、ＰＨＳ等の位置取得サービス等を用いることも可能である。
要するに、現在の機器の場所情報を入手し、後述するチャンネルメモリ制御部３１に出力可能な手段であればよい。
【００５７】
次に、チャンネルボタン３８は、テレビジョン受信装置として受信チャンネルを切り替えるスイッチであって、図１３に示す商品イメージでは６個設けられているが、個数には何の制約もなく必要な個数とすることができる。チャンネルボタン３８のいずれかが押下された時、各ボタンに割り当てられる６個の領域からなる、図１４に示すようなチャンネルメモリ（CHMemory）３３に記憶されている受信周波数のテレビジョン放送を放送受信装置３５が受信し、その受信内容（映像）を表示装置３９に出力する。
要するに、本システムは、６個分のチャンネル切り替えが可能なテレビジョン放送受信装置となっている。
【００５８】
上記した構成以外に、図１５に示すデータ構造の地域データベース(AreaTbl）３２、チャンネルメモリ３３へ登録するか否かの判断用の感度規定値（Basel,Base2）や、図１６に示すその他の変数／定数が記憶されている変数／定数メモリ３４、さらには、あるチャンネル（受信周波数）に対する受信感度が規定値以上か否かをチェックし、その結果を出力する受信感度検出部３６、ならびにチャンネルメモリ３３への登録制御を行うチャンネルメモリ制御部３１からなるが、これら構成要素、及びそれらの制御については、以下のチャンネルメモリ制御部３１の処理フローに基づいて詳述する。
なお、図１２において、放送受信装置３５と受信感度検出部３６とは、チャンネルメモリ制御部３１の制御によって、ある受信周波数の内容（映像）を受信しつつ、受信感度の検出を行っている。これは、チェックサム等による放送受信内容（映像データ）の誤り率による受信感度の検出を行う場合には、２個以上のチューナ（放送受信装置）を必要とすることを意味する。しかしながら、例えば、電子番組情報（ＥＰＧ）を受信しながら、ある番組を受信できる受信装置、要するに、異なる受信周波数帯（デジタル放送の場合、同一受信周波数帯に２以上のコンテンツが送信される場合があるので、この場合には正確な表現とはいえない）をマルチに処理できる放送受信装置も存在するから、必ずしも２個以上のチューナを必要とするというものではない。
【００５９】
図１７〜図１９は、チャンネルメモリ制御部３１の処理フローを示す。
チャンネルメモリ登録処理は、以下に説明するとおり、
１）基本的に、すべてのチャンネルメモリに対して、感度の良い放送を、順次、チャンネルメモリ登録し、個々のチャンネルボタン３８に割り当てる、
２）常に、現在位置をチェックし、図２０に示されるような矩形単位で地域データベース（AreaTbl）３２の内容にしたがって、チャンネルメモリ３３の再登録処理を実施する、
３）ただし、矩形単位と矩形単位の境界付近（処理矩形〜処理矩形＋定数ｄの範囲）（図２０参照）の処理は、現在選択中（受信中）のチャンネルに対して、特別処理（「チャンネルボタンの割り当てが変化しない」や「感度チェックを甘くする」などの処理）を実施し、できるだけ、チャンネルボタンの割り当てが変化しないようにする、
等の制御を実施しているが、上記１）〜３）の処理だけでは、まだチャンネルボタン割り当てが頻繁に変わり、使いにくいという問題が発生すると予想される。
【００６０】
したがって、選択（受信）チャンネル以外のチャンネルメモリに設定されているチャンネル（周波数）をできるだけ活かす次のような配慮もなされる必要がある。
１）オートチューニング処理されるチャンネルボタンと、処理されないチャンネルボタンの２種のボタン（当然、チャンネルメモリも制御も必要）を準備する。
２）地域データベースの有効放送局（Broadcast［］）に、優先順位（重み）をもたせ、優先順位によってチャンネルメモリ登録の優先順位を変える。（例えば、ＮＨＫは、受信感度にかからわず、必ずチャンネルボタン１に設定する。）
３）系列局や同じような放送局（例えば、大阪に住んでいる人からみたら、奈良放送も京都放送も和歌山放送も基本的には同じ番組を放送していると感じている）のデータベース化や電子番組情報（ＥＰＧ）による同一番組チェック（例えば、高校野球は、民放でもＮＨＫ／ＮＨＫ教育でも視聴している人にとっては構わないだろう）等による、異なる放送局でも代替放送局をサーチして割当てる。
【００６１】
図１７〜図１９に示すチャンネルメモリ制御部３１の処理フローの説明に戻ると、チャンネルメモリ制御部３１は、２種のエントリ（入り口）があり、一方のエントリでは図１７の処理フローが稼働し、他方のエントリでは図１８の処理フローが稼働する。
図１７の処理フローは、
１）製品出荷後の最初のＴＶ機能稼働時（最初のＴＶ／カーナビ表示の切替ボタンの押下、もしくは、最初の電源ＯＮ処理）、
２）リセットボタンの押下時、
に稼働し、要するにチャンネルメモリの登録が一切なされていない場合、もしくは、現在のチャンネルメモリの登録を初期化したい場合に発生するリセットボタンの押下時になされる。
（ステップ５１）位置検出装置３１より現在の位置情報を取得する。
（ステップ５２）地域データベース（AreaTbl）３２より、現在位置がどのマップ番号上に相当するかを調べ、相当するマップ番号を変数Ｍｏに格納する。
（ステップ５３）マップ番号Ｍｏの有効放送局リスト（Broadcast［］）のうち、規定値ＢＡＳＥ１（高い基準値）より感度が良いチャンネル（受信周波数）を感度が良い順に順次チャンネルメモリ３３へ登録する。
【００６２】
次に、他方のエントリによる、図１８に示す処理フローは、既にチャンネルメモリ３３への登録がなされている時のＴＶ機能稼働（カーナビ表示モードからのＴＶ機能への切替、もしくは、ＴＶ機能モードでの電源オン）で、常にチャンネルボタン３８の押下の有無と、ＴＶ付きカーナビゲーションシステムを搭載する車両の存在場所の確認による制御を実施しており、
（ステップ６１）まず、チャンネルボタン３８の押下有無をチェックする。
（ステップ６２）押下があった場合には、その押下されたチャンネルボタンに相当するチャンネル（受信周波数）を変数SelChに格納する。
（ステップ６３）そのチャンネル（受信周波数）を放送受信装置３５へ出力することで、指定されたチャンネルを受信（表示）する。
なお、本処理では、感度良好のチャンネルの数が６に満たない時などに発生する押下されたチャンネルボタン３８にチャンネル（受信周波数）が割り当てられていない場合に対するエラー処理や、リセット直後等の変数（SelCh）が初期設定されていない場合の処理等は、実際には必要であるが、説明を簡易とするために省略している。
【００６３】
（ステップ６４）ステップ６１において、チャンネルボタン３８の押下でなかった場合は、位置検出装置３７より現在の位置情報を取得する。
（ステップ６５）現在位置に対するマップ番号を地域データベース（AreaTbl）３２より求め、変数Ｍｎに格納する。
（ステップ６６）この変数Ｍｎ値とＭｏ値を比較することで、マップ変化（正確には、以下の制御内容から分かるように、単なるマップ変化ではない）が発生したか否か調べ、変化がなかった時には、チャンネルメモリの更新処理を実施せずに、チャンネルボタン３８の押下チェック、ステップ６１へ戻る。また、マップ変化が発生したと判断した時は、図１９に示すチャンネルメモリの更新処理へ移行する。
【００６４】
図１９は、チャンネルメモリの更新処理を示す処理フローである。
（ステップ７１）現在位置に相当するマップ番号Ｍｎの有効放送局リスト内に、変数SelChで示される現在選択中のチャンネル（受信周波数）が存在するか否かをチェックする。
（ステップ７２）存在する場合には、チャンネルメモリ３３に既に設定されている変数Ｍｏ値をＭｎで更新する。これは、図１８において述べたステップ６６に関係し、本処理（チャンネルメモリ３３の再更新）以降は、再度、マップ変化が発生しない限り、本処理（チャンネルメモリの再更新）処理はなされないことを意味する。すなわち、マップ番号Ｍｎの有効放送局リスト内に、変数SelChで示される現在選択中のチャンネルが存在する時、そのSelChが割り当てられているチャンネルボタン（チャンネルメモリ）は、できるだけ変更しないような考慮はするが、その処理は、マップ変化が発生した最初の１度だけで、以後は、更なるマップ変化がない限り、確定させることを意味する。
【００６５】
（ステップ７５）次いで、低い規定値（Base2）での受信感度チェックする。
（ステップ７６）受信感度チェックがＯＫであった場合には、変数SelChのチャンネルボタン（チャンネルメモリ）割り当てが変化しないように、他の有効放送局に対するチャンネルボタン（チャンネルメモリ）の再割り当て（再設定）を実施する。
【００６６】
（ステップ７３）ステップ７１において、現在位置Ｍｎの有効放送局リスト内に、現在選択中のチャンネル（受信周波数）が存在しなかった場合には、現在位置ＭｎがＭｏの領域隣接エリア内に存在するか否かをチェックする。
なお、Ｍｏの領域隣接エリア内か否かは、Ｍｏの矩形領域を定数ｄ分広げた領域内に存在するか否かを意味する。
（ステップ７５，ステップ７４）もし、現在位置ＭｎがＭｏの領域隣接エリア内であると判断したら、低い規定値（Base2）で受信感度チェックを行い、エリア外と判断したら、高い規定値（Base1）で、受信感度チェックを行う。
（ステップ７６）ステップ７５，ステップ７４において、感度がＯＫなら、変数SelChのチャンネルボタン（チャンネルメモリ）割り当てが変化しないように、他の有効放送局に対するチャンネルボタン（チャンネルメモリ）の再割り当て（再設定）を実施する。
（ステップ７７）ステップ７４において、感度がＮＧなら、変数Ｍｏ値をＭｎで更新する。
（ステップ７８）次いで、変数SelChのチャンネルボタン（チャンネルメモリ）の割り当てを、完全に無視し、単に、変数Ｍｎの有効放送局リスト（Broadcast［］）でチャンネルメモリの再更新制御を実施する。
なお、本処理において、注目すべき点は、有効放送局リストに存在しなくても、感度チェックにより、チャンネルボタン（チャンネルメモリ）の設定をできるだけ活かそうとしているが、変数ＭｏをＭｎに更新していないという点にある。
【００６７】
図２０は、ＴＶ付きカーナビゲーションシステムの動作を説明するための図であって、図２０（Ａ）は、ＴＶ付きカーナビゲーションシステムを搭載した車両が存在する地域の周辺の領域を含めて表示している表示画面を示し 、図２０（Ｂ）は、図２０（Ａ）の表示のうち車両が存在する地域のみを拡大して示す図である。
例えば、図２０（Ａ）のように、マップＭ５のＡ地点から、Ｂ地点（マップＭ２で、かつマップＭ５の領域隣接エリアに相当）を経由して、Ｃ地点（途中、マップＭ５を経由して、マップＭ４へ移動）へ移動する場合を考える。
また、図１５に示すように、放送局Ｂ１は、Ｍ５では有効放送局であるが、Ｍ２では有効放送局ではない。
【００６８】
今、Ａ地点で放送局Ｂ５を受信中とする。Ｂ地点付近に到着した（マップＭ５からマップＭ２へ遷移した）とき、放送局Ｂ５が全く受信できない状態であればマップＭ２に入ったときにチャンネルメモリの割り当てが更新されるので、何も問題はないが、たいていの場合は感度が若干悪くなるにせよ放送局Ｂ５による放送を受信できる場合が多い。すなわち、車両がマップＭ５からマップＭ２へ遷移したとき、直ちにマップＭ２に対してオートチューニング処理を稼働させるのでは、頻繁に変数Ｍｏ値は更新されてしまう。また、前記処理フローのままでは、常に変数Ｍｏ値は更新されず、Ｍｏ＝Ｍ５のままである。しかし、変数Ｍｎ値は、Ａ地点ではＭ５に、Ｂ地点ではＭ２に変化することから、選択中のチャンネルメモリ（チャンネルボタン）の割当以外は、再度マップＭ５地点に戻った地点では、正しくない値（システムが望まない値）が設定されてしまっている可能性があることになる。
【００６９】
しかしながら、本発明においては、車両が地域の境界を越えたとき、直前に算出された例えば、図１５において、地域範囲Ｍ５に対する前記チャンネルメモリの記憶内容（Ｂ１，Ｂ２，Ｂ３，Ｂ４，Ｂ５，Ｂ６，Ｂ７…）の少なくとも１（Ｂ５）の割り当てを維持して、前記オートチューニング処理を行うことや、現在位置と直前に算出された地域範囲の境界との距離が規定値以内の場合に、前記直前に算出された地域範囲のオートチューニング結果に対する受信感度チェックを行い、受信感度が基準値以上のチャンネルの記憶内容を維持してオートチューニング処理を行うことにより、前記地域の境界における使い勝手を向上させることができる。
【００７０】
【発明の効果】
本発明によれば、オートプリセット処理に加えてオートチューニング処理を行っているので、良好なレベルで受信できるチャンネルのみが自動的にチャンネルメモリに登録され、ユーザが設定する手間を省くことができる。
地域範囲の境界において、少なくとも１のチャンネルメモリの割り当てを維持するので、移動体機器の移動先ごとに、チャンネルメモリの割り当てが変化してしまうことがなく使いやすい。
【００７５】
また、地域範囲の境界において、移動体機器が規定値以内の距離を越えても受信感度が基準値以上であれば、チャンネルの記憶内容を維持してオートチューニング処理を行うので、チャンネルメモリの割り当てが頻繁に変化してしまうことがなく使いやすい。
【００７６】
更には、地域範囲の境界において、オートチューニング処理を行う際の感度基準値を低く設定することができるので、利用者にとって意図しないチャンネルメモリの変化を防ぐことができる。
【図面の簡単な説明】
【図１】  本発明の実施に使用されるＴＶ付きカーナビゲーションシステムを示すブロック図である。
【図２】  ＴＶ付きカーナビゲーションシステムの外観形状を示す図である。
【図３】  プリセットデータベースの登録内容を示す図である。
【図４】  チャンネルメモリに受信できるチャンネルが登録された様子を示す図である。
【図５】  地域番号算出手段中のデータベースの登録内容を示す図である。
【図６】  テレビ放送電波のデジタル情報を示す図である。
【図７】  電源ＯＮ時の処理（オートプリセット処理）を示すフローチャートである。
【図８】  オートチューニング処理を示すフローチャートである。
【図９】  テレビの受信チャンネルを変更したときの処理を示すフローチャートである。
【図１０】  カーナビゲーションシステムが付属していない単なるテレビジョン受信装置の電源ＯＮ時の処理を示すフローチャートである。
【図１１】  チャンネルメモリに登録されたチャンネルのみを表示した電子番組表を表示するときの処理を示すフローチャートである。
【図１２】  本発明の一実施例を説明するためのＴＶ付きカーナビゲーションシステムを示すブロック図である。
【図１３】  ＴＶ付きカーナビゲーションシステムの外観形状を示す図である。
【図１４】  チャンネルメモリの登録内容を示す図である。
【図１５】  地域データベースの登録内容を示す図である。
【図１６】  定数／変数メモリの登録内容を示す図である。
【図１７】  最初のＴＶ機能稼働時、またはリセットボタンの押下時の処理を示すフローチャートである。
【図１８】  チャンネルメモリへの登録がなされている時であって、カーナビ表示モードからのＴＶ機能への切替時、またはＴＶ機能モードでの電源オン時の処理を示すフローチャートである。
【図１９】  チャンネルメモリの更新処理を示すフローチャートである。
【図２０】  移動体機器に搭載したＴＶ付きカーナビゲーションシステムの動作を説明するための図である。
【図２１】  従来のオートチューニング機能付きテレビの構成を示すブロック図である。
【図２２】  チャンネルスイッチ及びチャンネル上下スイッチの外観形状を示す図である。
【図２３】  従来のオートプリセット機能付きテレビの構成を示すブロック図である。
【図２４】  チャンネルメモリに受信できるチャンネルが登録された様子を示す図である。
【図２５】  手動でチャンネル設定を行うときの表示画面を示す図である。
【符号の説明】
１１…検波復調部、１２…入力手段、１２１…チャンネルスイッチ、１２２…チャンネル上下スイッチ、１２３…カーナビ関連の入力手段、１２４…電源スイッチ、１３…ディスプレイ部、１４…オーディオ部、１５…カーナビ処理部、１６…マイコン、１７…チャンネルメモリ、１８…プリセットデータベース、１９…地域番号算出手段、２０…オートチューニング処理部、２１…番組情報データベース、２２…ヘッダ、２３…０と１で示されるデータ、２４…チェックサム。
【図１】
0004488566.tif 000002
【図２】
0004488566.tif 000003
【図３】
0004488566.tif 000004
【図４】
0004488566.tif 000005
【図５】
0004488566.tif 000006
【図６】
0004488566.tif 000007
【図７】
0004488566.tif 000008
【図８】
0004488566.tif 000009
【図９】
0004488566.tif 000010
【図１０】
0004488566.tif 000011
【図１１】
0004488566.tif 000012
【図１２】
0004488566.tif 000013
【図１３】
0004488566.tif 000014
【図１４】
0004488566.tif 000015
【図１５】
0004488566.tif 000016
【図１６】
0004488566.tif 000017
【図１７】
0004488566.tif 000018
【図１８】
0004488566.tif 000019
【図１９】
0004488566.tif 000020
【図２０】
0004488566.tif 000021
【図２１】
0004488566.tif 000022
【図２２】
0004488566.tif 000023
【図２３】
0004488566.tif 000024
【図２４】
0004488566.tif 000025
【図２５】
0004488566.tif 000026